(57)【要約】      （修正有）【課題】ケーキ屋などでもらった袋入り保冷材を無駄に廃棄することなく、飲料用ペットボトル及び、飲料用缶の保冷材として活用する保冷材活用具を提供する。【解決手段】袋入り保冷材の形状をペットボトル、飲料用缶の底部の形状に合わせて冷凍するための道具である。容器本体１の側面外側に弾性体掛け具３と、容器本体１の側面に弾性体通し溝２と、容器本体１の側面内側に容器突条部４と、容器本体１の底蓋支持部５と、底蓋６の表面に底蓋突条部７と、押え蓋８の中央に押え蓋ドーム部９と、押え蓋８の底部下面に押え蓋突条部１０と、押え蓋８の周囲に押え蓋筒状の案内部材１１と、押え蓋８の押え蓋ドーム部９の中央部に押え蓋把持部１２と、押え蓋８の押え蓋ドーム部９に押え蓋補助穴１３の構成をしている。【選択図】図１
0003165885.tif 000002
【実用新案登録請求の範囲】
【請求項１】
筒状の底を有してない容器本体と底蓋と押さえ蓋から構成され、
容器本体の底部に底蓋支持部と、
容器本体の側面に弾性体通し溝と、
容器本体の側面外側に弾性体掛け具を備えた容器本体と、
容器本体の底面をなすための底蓋と、
容器本体の上部から押さえるための押さえ蓋と、
を備えた袋入り保冷材活用具であって、
底蓋を容器本体の底部の底蓋支持部に支持して、底蓋の取り付けられた容器本体に袋入り保冷材を収納して押さえ蓋で袋入り保冷材を押さえ、袋入り保冷材の形状を形成し冷凍させることを特徴とする袋入り保冷材活用具。
【請求項２】
前記容器本体は、側面内側に突条を備えていることを特徴とする請求項１記載の袋入り保冷材活用具。
【請求項３】
前記底蓋は、上面に突条を備えていることを特徴とする請求項１から２のいずれかに記載の袋入り保冷材活用具。
【請求項４】
前記押さえ蓋の中央にドーム部を備えていること、
前記押さえ蓋の上面に把持部を備えていることと、
前記押さえ蓋の周囲に筒状の案内部材を備えていることと、
前記押さえ蓋の底部下面に突条を備えていることと、
を特徴とする請求項１から３のいずれかに記載の袋入り保冷材活用具。
【請求項５】
前記押さえ蓋のドーム部に補助穴をなしていることを特徴とする請求項１から４のいずれかに記載の袋入り保冷材活用具。
【考案の詳細な説明】
【技術分野】
【０００１】
本考案は、ケーキ屋などでケーキの保冷用としてもらった袋入り保冷材を活用し、飲料用ペットボトル及び、飲料用缶などの保冷用に活用する、袋入り保冷材活用具に関する。
【背景技術】
【０００２】
飲料用ペットボトルや水筒の形状に合わせてそれ専用の形状及び容積の保冷材を作り、保冷用として使用するものは、すでに商品化されている。しかし、ケーキ屋などで保冷用としてもらった袋入り保冷材を使って、飲料用ペットボトル及び、飲料用缶保冷用として活用する手段はなかった。
【考案の概要】
【考案が解決しようとする課題】
【０００３】
ケーキ屋などでケーキの保冷用としてもらった袋入り保冷材を使用し保冷用として活用するために袋入り保冷材を冷凍するときに飲料用ペットボトル及び、飲料用缶の底部の形状に合わせて袋入り保冷材を冷凍する方法はなかった。
【０００４】
ケーキ屋などでもらった袋入り保冷材を飲料用ペットボトル及び、飲料用缶の保冷材として活用できること。
【０００５】
冷凍された袋入り保冷材の保冷効果を上げるために、飲料用ペットボトル及び、飲料用缶の底の形状に合わせた袋入り保冷材を形成し冷凍できること。
【０００６】
冷凍された袋入り保冷材を飲料用ペットホルダーの底部に入れたときに、飲料用ペットボトル及び、飲料用缶が傾くことなく自立できるように袋入り保冷材を形成できること。すなわち、冷凍された袋入り保冷材の底面が平面で、冷凍された袋入り保冷材の周囲の高さが均等で、冷凍された袋入り保冷材のドーム部が中央にできること。
【０００７】
更に、上記要求を満し、袋入り保冷材を冷凍したときに容器本体と底蓋と押さえ蓋がそれぞれ貼りつくことなく容器本体から取り外せること。また、貼りついた場合でも、取り外す仕組みを備えていること。
【０００８】
更に、上記要求を満し、袋入り保冷材を冷凍したときに容器本体、底蓋、押さえ蓋に冷凍された袋入り保冷材が貼りつくことがないこと。また、貼りついた場合でも、取り外す仕組みを備えていること。
【課題を解決するための手段】
【０００９】
本考案は上記課題を達成するために、以下の構成を有している。以下は、飲料用ペットボトル及び、飲料用缶の底の中央部の形状が底面から見てドーム状に凹型のものを例として説明する。
【００１０】
筒状の底を有してない容器本体と底蓋と押さえ蓋から構成され、
容器本体の底部に底蓋支持部と、
容器本体の側面に弾性体通し溝と、
容器本体の側面外側に弾性体掛け具を備えた容器本体と、
容器本体の底面をなすための底蓋と、
容器本体の上部から押さえるための押さえ蓋と、
を備えた袋入り保冷材活用具であって、
底蓋を容器本体の底部の底蓋支持部に支持して、底蓋の取り付けられた容器本体に袋入り保冷材を収納して押さえ蓋で袋入り保冷材を押さえ、袋入り保冷材の形状を形成し冷凍させることを特徴として構成されたものである。
【００１１】
前記容器本体は、側面内側に突条を備えたものである。
【００１２】
前記底蓋は、上面に突条を備えたものである。
【００１３】
前記押さえ蓋の中央部にドーム部と、
前記押さえ蓋の上面に把持部と、
前記押さえ蓋の周囲に筒状の案内部材と、
前記押さえ蓋の底部下面に突条を備えたものである。
【００１４】
前記押さえ蓋は、ドーム部に穴をなしたものである。
【考案の効果】
【００１５】
本考案によれは以下の効果を得ることができる。
【００１６】
請求項１記載の袋入り保冷材活用具によれば、容器本体の底部の底蓋支持部に支持するように底蓋を設置して、底蓋の設置された容器本体に袋入り保冷材を収納して押さえ蓋で袋入り保冷材を押さえ、袋入り保冷材の形状を形成し冷凍させることが可能となる。
【００１７】
請求項１記載の袋入り保冷材活用具によれば、容器本体と底蓋と押さえ蓋がそれぞれ分離できることで、形状を形成し冷凍された袋入り保冷材を容器本体や底蓋や押さえ蓋に貼りつくことなく取り出すことが可能となる。
【００１８】
請求項２記載の袋入り保冷材活用具によれば、容器本体の側面内側に突条を備えていることで、冷凍した袋入り保冷材が結露し容器本体に貼りつくことなく容器本体から取り出すことが可能となる。
【００１９】
請求項３記載の袋入り保冷材活用具によれば、底蓋の上面に突条を備えていることで、冷凍した袋入り保冷材が結露し底蓋に貼りつくことなく底蓋から取り出すことが可能となる。
【００２０】
請求項４記載の袋入り保冷材活用具によれば、押さえ蓋の中央部にドーム部を備えていることで、飲料用ペットボトル及び、飲料用缶の底の形状に合った袋入り保冷材を冷凍することが可能になり、冷凍した袋入り保冷材をペットボトルホルダーに入れて使用する場合に、ドーム状に盛り上がった部分と飲料用ペットボトル及び、飲料用缶の底部のドーム状に凹部になった部分に接することができるため、保温効果を上げることが可能となる。
【００２１】
請求項４記載の袋入り保冷材活用具によれば、押さえ蓋に把持部を備えていることで、冷凍した袋入り保冷材を容器本体から取り外すことが可能となる。
【００２２】
請求項４記載の袋入り保冷材活用具によれば、押さえ蓋の周囲に筒状の案内部材があることで、容器本体に入れた袋入り保冷材を押さえ蓋で上から押さえるときに容器本体に支持された底蓋に対し斜めになることなく、水平に押さえることができるため、袋入り保冷材の周囲の高さが均等な袋入り保冷材を作ることが可能となる。
【００２３】
請求項４記載の袋入り保冷材活用具によれば、押さえ蓋の底面外側に突条を備えていることで、冷凍した袋入り保冷材が容器本体に貼りつくことなく容器本体から取り出すことが可能となる。
【００２４】
請求項５記載の袋入り保冷材活用具によれば、押さえ蓋のドーム部に穴をなしていることで、冷凍した袋入り保冷材が結露し抑え蓋に貼りついた場合でも、穴に棒状のものを差し込んで袋入り保冷材を押し出すことが可能となり、冷凍した袋入り保冷材を押さえ蓋から取り外すことが可能となる。
【図面の簡単な説明】
【００２５】
【図１】袋入り保冷材活用具を示した斜視図である。
【図２】袋入り保冷材活用具の容器本体を示した斜視図である。
【図３】袋入り保冷材活用具の底蓋を示した斜視図である。
【図４】袋入り保冷材活用具の押さえ蓋を示した斜視図である。
【図５】袋入り保冷材活用具の容器本体を示した上面図である。
【図６】袋入り保冷材活用具の底蓋を示した上面図である。
【図７】袋入り保冷材活用具の押さえ蓋を示した上面図である。
【図８】図５の線a−bに沿って切った断面図である。
【図９】図６の線ｃ−ｄに沿って切った断面図である。
【図１０】図７の線ｅ−ｆに沿って切った断面図である。
【図１１】袋入り保冷材活用具の使用状態を示した上面図である。
【図１２】図１１の断面図を元に袋入り保冷材を冷凍するための準備の状態１を表した図面である。状態１とは、容器本体、底蓋、袋入り保冷材、押さえ蓋がそれぞれ接触してなく、袋入り保冷材の形状が形成されてない状態を示す。
【図１３】図１１の断面図を元に袋入り保冷材を冷凍するための準備の状態２を表した図面である。状態２とは、容器本体の底部に底蓋を支持した状態を示す。
【図１４】図１１の断面図を元に袋入り保冷材を冷凍するための準備の状態３を表した図面である。状態３とは、容器本体の底部の底蓋の上部に袋入り保冷材を乗せた状態を示す。
【図１５】図１１の断面図を元に袋入り保冷材を冷凍するための準備の状態４を表した図面である。状態４とは、容器本体に格納された袋入り保冷材の上部に押さえ蓋を乗せた状態を示す。
【図１６】図１１の線ｇ−ｈに沿って切った断面図である。本状態が、袋入り保冷材を冷凍するために押さえ蓋で袋入り保冷材を圧迫し、袋入り保冷材の形状が形成された状態。すなわち、冷凍直前の状態及び、冷凍直後の状態である。
【図１７】図１１の断面図を元に袋入り保冷材を取り出し状態１を表した図面である。取り出し状態１とは、弾性体を弾性体掛け具から外し、底蓋の下側から底部を押し上げ、底蓋と袋入り保冷材と押さえ蓋が容器本体の内部にある状態を示す。
【図１８】図１１の断面図を元に袋入り保冷材を取り出し状態２を表した図面である。取り出し状態２とは、底蓋の下側から底部を更に押し上げ、底蓋と袋入り保冷材と押さえ蓋が接触しているが、容器本体の外部にある状態を示す。
【図１９】図１１の断面図を元に袋入り保冷材を取り出し状態３を表した図面である。取り出し状態３とは、底蓋と袋入り保冷材と押さえ蓋が容器本体の外部でそれぞれが分離された状態を示す。すなわち、冷凍された袋入り保冷材が形成され、ペットボトルホルダーなどに入れるための準備が完了した状態を示す。
【考案を実施するための形態】
【００２６】
筒状の底を有してない容器本体と底蓋と押さえ蓋から構成され、
容器本体の底部に底蓋支持部と、
容器本体の側面に弾性体通し溝と、
容器本体の側面外側に弾性体掛け具を備えた容器本体と、
容器本体の底面をなすための底蓋と、
容器本体の上部から押さえるための押さえ蓋と、
を備えた袋入り保冷材活用具であって、
底蓋を容器本体の底部の底蓋支持部に支持して、底蓋の取り付けられた容器本体に袋入り保冷材を収納して押さえ蓋で袋入り保冷材を押さえ、袋入り保冷材の形状を形成し冷凍させることを特徴とする袋入り保冷材活用具に関するものである。
【００２７】
前記容器本体は、側面内側に突条を備えていることを特徴とする。
【００２８】
前記底蓋は、上面に突条を備えていることを特徴とする。
【００２９】
前記押さえ蓋は、中央部にドーム部と、上面に把持部と、周囲に筒状の案内部材と、底部下面に突条を備えていることを特徴とする。
【００３０】
前記押さえ蓋は、ドーム部に穴をなしていることを特徴とする。
【００３１】
図１で示すように、本考案の袋入り保冷材活用具の一例の基本的構成を示した斜視図である。容器本体１の側面外側に弾性体掛け具３と、容器本体１の側面に弾性体通し溝２と、容器本体１の側面内側に容器突条部４と、容器本体１の底蓋支持部５と、
底蓋６の表面に底蓋突条部７と、
押さえ蓋８の中央に押さえ蓋ドーム部９と、押さえ蓋８の底部下面に押さえ蓋突条部１０と、押さえ蓋８の周囲に押さえ蓋筒状の案内部材１１と、押さえ蓋８の押さえ蓋ドーム部９の中央部に押さえ蓋把持部１２と、押さえ蓋８の押さえ蓋ドーム部９に押さえ蓋補助穴１３の構成をしている。容器突条部４と、底蓋突条部７の一部は、図が錯綜するため省略している。
【００３２】
図２で示すように、本考案の袋入り保冷材活用具の一例の基本的構成を示した斜視図である。容器本体１の側面外側に弾性体掛け具３と、容器本体１の側面に弾性体通し溝２と、容器本体１の側面内側に容器突条部４と、容器本体１の底蓋支持部５の構成をしている。容器突条部４の一部は、図が錯綜するため省略している。
【００３３】
図３で示すように、本考案の袋入り保冷材活用具の基本的構成を示した斜視図から、底蓋６を示した斜視図である。底蓋６の上面に底蓋突条部７の構成をしている。
【００３４】
図４で示すように、本考案の袋入り保冷材活用具の基本的構成を示した斜視図から、押さえ蓋８を示した斜視図である。押押さえ蓋８の中央に押さえ蓋ドーム部９と、押さえ蓋８の底部下面に押さえ蓋突条部１０と、押さえ蓋８の周囲に押さえ蓋筒状の案内部材１１と、押さえ蓋８のドーム部９の中央部に押さえ蓋把持部１２と、押さえ蓋８のドーム部９に押さえ蓋補助穴１３の構成をしている。
【００３５】
図５で示すように、本考案の袋入り保冷材活用具の基本的構成を示した容器本体１の上面図である。側面外側に弾性体掛け具３と、容器本体１の弾性体掛け具３の図面上の右と左に弾性体通し溝２と、容器本体１の側面の向き合う部分に弾性体掛け具３と、容器本体１の弾性体掛け具３の左右に弾性体通し溝２と、容器本体１の底面内側に容器突条部４と、容器本体１の底蓋支持部５の構成をしている。
【００３６】
図６で示すように、本考案の袋入り保冷材活用具の基本的構成を示した底蓋６の上面図である。底蓋６の上面に底蓋突条部７の構成をしている。
【００３７】
図７で示すように、本考案の袋入り保冷材活用具の基本的構成を示した押さえ蓋８の上面図である。押さえ蓋８の中央に押さえ蓋ドーム部９と、押さえ蓋８の底部下面に押さえ蓋突条部１０と、押さえ蓋８の押さえ蓋ドーム部の下側に押さえ蓋突条部１０と、押さえ蓋８の周囲に押さえ蓋筒状の案内部材１１と、押さえ蓋８の押さえ蓋ドーム部９の中央部に押さえ蓋把持部１２と、押さえ蓋８の押さえ蓋ドーム部９に押さえ蓋補助穴１３の構成をしている。
【００３８】
図８で示すように、図５の線ａ−ｂに沿って切り、イからの断面図である。容器本体１の左右に弾性体掛け具３と、弾性体通し溝２と、容器本体１の底面内側の突条部４と、容器本体１の底部に底蓋支持部５の構成をしている。
【００３９】
図９で示すように、図６の線ｃ−ｄに沿って切り、ロからの断面図である。底蓋６の上面に底蓋突条部７の構成をしている。
【００４０】
図１０で示すように、図７のｅ−ｆ線に沿って切り、ハからの断面図である。押さえ蓋８の中央にドーム部９と、押さえ蓋８の底面の押さえ蓋突条部１０と、押さえ蓋８の周囲の側面に押さえ蓋筒状の案内部材１１と、押さえ蓋把持部１２と、押さえ蓋補助穴１３の構成をしている。
【００４１】
図１１で示すように、本考案の袋入り保冷材活用具の基本的構成の使用状態を示した上面図である。容器本体１の中央部に押さえ蓋８があり、容器本体１の中央部に押さえ蓋８の間と押さえ蓋補助穴１３に袋入り保冷材１４がある、弾性体１５が弾性体掛け具３を通過し、弾性体通し溝２を通して向き合う弾性体通し溝２を通して弾性体掛け具３に掛かっていることを表している。
【００４２】
図１２で示すように、本考案の袋入り保冷材活用具の基本的構成の使用状態を示した図１１の線ｇ−ｈに沿って切り、ニからの断面図である。容器本体１と押さえ蓋８と底蓋６と袋入り保冷材１４がある。袋入り保冷材１４を容器本体１に入れて冷凍する前の準備の状態を表している。
【００４３】
図１３で示すように、本考案の袋入り保冷材活用具の基本的構成の使用状態を示した図１１の線ｇ−ｈに沿って切り、ニからの断面図である。容器本体１と押さえ蓋８と底蓋６と袋入り保冷材１４がある。底蓋６が容器本体１の底蓋支持部５に支持された状態を表している。
【００４４】
図１４で示すように、本考案の袋入り保冷材活用具の基本的構成の使用状態を示した図１１の線ｇ−ｈに沿って切り、ニからの断面図である。容器本体１と押さえ蓋８と底蓋６と袋入り保冷材１４がある。袋入り保冷材１４を容器本体１の底部の底蓋６に乗せた状態を表している。
【００４５】
図１５で示すように、本考案の袋入り保冷材活用具の基本的構成の使用状態を示した図１１の線ｇ−ｈに沿って切り、ニからの断面図である。容器本体１と押さえ蓋８と底蓋６と袋入り保冷材１４がある。押さえ蓋８を容器本体１に入れた袋入り保冷材１４に乗せた状態を表している。
【００４６】
図１６で示すように、本考案の袋入り保冷材活用具の基本的構成の使用状態を示した図１１の線ｇ−ｈに沿って切り、ニからの断面図である。容器本体１の上から押さえ蓋８と底蓋６の間に袋入り保冷材１４がある。容器本体１と押さえ蓋８と底蓋６の中央に袋入り保冷材１４がある。弾性体１５で押さえ蓋８を押さえ、押さえ蓋８で容器本体１に入れた袋入り保冷材１４を押さえている状態を表している。袋入り保冷材１４が容器突条部４と、底蓋突条部７と、押さえ蓋突条部１０へ接するのが突条した部分であることを表している。
【００４７】
図１７で示すように、本考案の袋入り保冷材活用具の基本的構成の使用状態を示した図１１を元に袋入り保冷材１４取り出す状態１を示した図である。状態１とは、弾性体１５を弾性体掛け具３から外し、底蓋６の下側から底部６を押し上げ、底蓋支持部５から外れて、底蓋６と袋入り保冷材１４と押さえ蓋８が容器本体１の内部にある状態を示す。
【００４８】
図１８で示すように、本考案の袋入り保冷材活用具の基本的構成の使用状態を示した図１１を元に袋入り保冷材１４取り出す状態２を示した図である。状態２とは、弾性体１５を弾性体掛け具３から外し、底蓋６の下側から底部６を押し上げ、底蓋支持部５から外れて、底蓋６と袋入り保冷材１４と押さえ蓋８が容器本体１の外部に出た状態を示す。
【００４９】
図１９で示すように、本考案の袋入り保冷材活用具の基本的構成の使用状態を示した図１１を元に袋入り保冷材１４取り出す状態３を示した図である。状態３とは、弾性体１５を弾性体掛け具３から外し、底蓋６の下側から底部６を押し上げ、底蓋支持部５から外れて、底蓋６と袋入り保冷材１４と押さえ蓋８が容器本体１の外部でそれぞれが分離された状態を示す。
【００５０】
本考案の袋入り保冷材活用具の押さえ蓋ドーム部の形状は、飲料用ペットボトル及び、飲料用缶の底部の形状に合わせた形状とする。
【符号の説明】
【００５１】
１      容器本体
２      弾性体通し溝
３      弾性体掛け具
４      容器突条部
５      底蓋支持部
６      底蓋
７      底蓋突条部
８      押さえ蓋
９      押さえ蓋ドーム部
１０    押さえ蓋突条部
１１    押さえ蓋筒状の案内部材
１２    押さえ蓋把持部
１３    押さえ蓋補助穴
１４    袋入り保冷材
１５    弾性体
ａ−ｂ  切断線
ｃ−ｄ  切断線
ｅ−ｆ  切断線
イ      容器本体からの矢印
ロ      押さえ蓋からの矢印
ハ      底蓋からの矢印
【図１】
0003165885.tif 000003
【図２】
0003165885.tif 000004
【図３】
0003165885.tif 000005
【図４】
0003165885.tif 000006
【図５】
0003165885.tif 000007
【図６】
0003165885.tif 000008
【図７】
0003165885.tif 000009
【図８】
0003165885.tif 000010
【図９】
0003165885.tif 000011
【図１０】
0003165885.tif 000012
【図１１】
0003165885.tif 000013
【図１２】
0003165885.tif 000014
【図１３】
0003165885.tif 000015
【図１４】
0003165885.tif 000016
【図１５】
0003165885.tif 000017
【図１６】
0003165885.tif 000018
【図１７】
0003165885.tif 000019
【図１８】
0003165885.tif 000020
【図１９】
0003165885.tif 000021